(57)【要約】【課題】 消費電力が小さく、加温機能を備えた加湿機を提供する。【解決手段】  貯水容器内を上下の隔板２１，２２で仕切って貯水区２３とし、貯水区を上下に貫通する一組の石英加熱管を備えた加熱管路３を設け、貯水区２３から給水口２６を経て供給される水を連通管６から石英加熱管に導き、石英加熱管外周を被覆する電気抵抗発熱体膜の発熱により加熱して気化させる。石英加熱管は断熱空間４５を隔てて密封カバー中に収容されるため、貯水区の水による熱損はない。【選択図】  図２
0003122980.tif 000002
【実用新案登録請求の範囲】
【請求項１】
貯水容器と加熱管路からなり、
該加熱管路は該貯水容器から連通管路により水を導入し、加熱管路内部に導入された水を加熱して水蒸気を発生させることを特徴とする加湿機。
【請求項２】
前記加熱管路内部には加熱された液体が突沸することを防ぐ突沸抑制器を設置することを特徴とする請求項１記載の加湿機。
【請求項３】
前記突沸抑制器は、多孔性部品であることを特徴とする請求項２記載の加湿機。
【請求項４】
前記突沸抑制器は、セラミックなどの他の材料よりなることを特徴とする請求項２記載の加湿機。
【請求項５】
前記加熱管路は、その外周面を電気抵抗発熱体膜で被覆され、電源に接続する電極を備えている
ことを特徴とする請求項１或いは２記載の加湿機。
【請求項６】
前記加熱管路は、石英管からなることを特徴とする請求項５記載の加湿機。
【請求項７】
前記加熱管路は、石英管外部に絶縁カバー管を設け、該絶縁カバー管と該石英管間は密封カバーにより密封して断熱空間とすることを特徴とする請求項６記載の加湿機。
【請求項８】
前記加熱管路は、両電極の間において温度感知スイッチを設置することを特徴とする請求項５記載の加湿機。
【請求項９】
前記加熱管路に設置する温度感知スイッチは複数個で、それぞれ加熱管路の異なる位置の温度を探知することを特徴とする請求項８記載の加湿機。
【請求項１０】
前記加熱管路は、貯水容器内部に設置することを特徴とする請求項１或いは２記載の加湿機。
【請求項１１】
前記加熱管路は、貯水容器外部に設置することを特徴とする請求項１或いは２記載の加湿機。
【請求項１２】
前記加熱管路は、貯水容器内において分岐して設されることを特徴とする請求項１或いは２記載の加湿機。
【請求項１３】
前記加熱管路は、貯水容器内において環状に配列して設置することを特徴とする請求項１或いは２記載の加湿機。
【請求項１４】
前記加熱管路の数は、一本或いは一本以上であることを特徴とする請求項１或いは２記載の加湿機。
【考案の詳細な説明】
【技術分野】
【０００１】
本考案は、一種の加湿機に関する。特に一種の石英加熱管を利用して液体を加熱し、電力節減を達成可能な加湿機に係る。
【背景技術】
【０００２】
空気の乾燥が人にもたらす不快感、特に空気の過度の乾燥によるせき、鼻腔内膜の裂傷等の症状の改善には、空気中の湿気増加が有効である。現在採用されている主要な方式は、機器により水蒸気或いは霧を発生し、発生させた水蒸気或いは霧を空気中に導入し、空気に一定の湿度を持たせるものである。
公知の霧を発生させる設備は貯水槽内に、オシレーター或いは超音波オシレーターを設置し、該オシレーターの高速振動作用により水分子を打撃して霧を形成するものである。しかし、こうしてオシレーターを利用して水分子を打撃する方式は冷たい霧を発生させることができるだけで、同時に気温の上昇を必要とする場合には適用できない。
さらに、一定温度の水蒸気を発生可能な加湿機は主に水を蓄えることができる容器を利用し、該容器内部に一組の電熱管を設置し、該電熱管の通電電熱により水を加熱して沸騰させて水蒸気を発生させ、蒸気管路を通して空気中に流出するものである。これにより空気中の温度と湿度は共に増加し、加湿の目的の他に空気中の温度を安定的に保持することができるため、医療施設或いは健康状態に不安を抱える老人が集まる養老院等では重宝している。
しかし、上述の電熱管を使用して加熱により水蒸気を発生させる方法は、その電力消費量が高く、しかも容器内の全ての液体を同時に加熱し、沸点に到達後ようやく水蒸気を発生させることができるため、電力消費が膨大で経済的ではない。
【特許文献１】特開２００４−２０２２６２号公報
【特許文献２】特開２００５−２７４０９７号公報
【考案の開示】
【考案が解決しようとする課題】
【０００３】
公知構造には以下の欠点があった。
すなわち、オシレーターにより霧を形成する装置は冷たい霧のみを発生させるため、気温の上昇を必要とする場所には適さず、また公知の電熱管を使用する加湿機は電力消費量が高く、しかも容器内の全ての液体を同時に加熱し沸騰させ水蒸気を発生させる構造であるため、電力消費が膨大で経済的ではない。
本考案は上記構造の問題点を解決した加湿機を提供するものである。
【課題を解決するための手段】
【０００４】
上記課題を解決するため、本考案は下記の加湿機を提供する。
それは主に加湿機を提供し、表面が被覆され電気抵抗発熱体膜を具えた石英管を加熱管路として利用し、該管路内に貯水された水に対してのみ加熱を行い水蒸気を生じるため、容器内のすべての液体を同時に加熱する必要がなく、電力消費を減少させることができ、
さらにその加湿機は該石英加熱管路を直立させ間隔を開ける方式で該容器内部に設置し、連通管により、容器底部から水を導入し、これにより該石英管路内の水位は容器内部の水位と同一となり、隨時水位を検知することができ、
またその加湿機は石英加熱管外において分割し電極を設置し、両電極間に温度感知スイッチを設置し、水位下降に応じて石英加熱管が過熱すると、適時電源を停止し、石英管の使用の安全を確保することを特徴とする加湿機である。
【考案の効果】
【０００５】
上記のように、本考案は石英加熱管路内に貯水された水に対してのみ加熱を行うため、電力消費を減少させることができ、さらに本考案の石英管路内の水位は容器内部の水位と同一であるため、隨時水位の検知が可能である。また石英加熱管外の上下に電極を設置し、両電極間に温度感知スイッチを設置すため、石英加熱管が過熱すると、適時電源を停止し、石英管の使用の安全を確保することができる。
【考案を実施するための最良の形態】
【０００６】
図１、２に示すように、本考案の加湿機1は貯水容器2、一組の加熱管路3、連通管6を含む。
該貯水容器2内部は、上隔板21と下隔板22により貯水区23と底台空間24に区画され、該上隔板21の適当な位置には注水孔25を設置し、隨時注水することができる。
次に、図４に示すように、該加熱管路3は２本の分かれて設置された石英加熱管4、5からなり、該石英加熱管4、5は容器内を上下に貫通する。該外管壁表面には、石英管を被覆して通電により発熱する電気抵抗発熱体膜41、51を形成し、管壁外には上、中、下位置にそれぞれ第一電極61、第二電極62、第三電極63を設けて、電源に接続する。該第一電極61、該第三電極63間には上段位置温度感知スイッチ71を設置し、該第一電極61、該第二電極62間には下段位置温度感知スイッチ72を設置し、上段位置、下段位置の石英管が加熱し、電源が遮断されていないかどうかを検知する。
【０００７】
該石英加熱管4、5の外部には絶縁カバー管42、52を嵌設し、該絶縁カバー管42、52と該石英加熱管4、5間の上下端位置は各密封カバー43、44、53、54により密封して、該石英加熱管4、5内の水温が外部水の影響を受けて加熱性能に影響を受けないよう、該絶縁カバー管42、52と該石英加熱管4、5間に存在する断熱空間45により隔離し、熱伝導を防止する。
該連通管6は、三叉の管路で、該貯水容器2の底台空間24内に設置する。その中央は導入通管61で容器の下隔板22の給水口26に通じ、その両側はそれぞれ延長されて該石英加熱管4、5の気化放出端に接続する。
【０００８】
上述の構成により、図４に示すように、水が貯水区23に注入されると、該連通管6を通って該石英加熱管4、5に導入され、該石英加熱管4、5の加熱電気抵抗発熱体膜は該石英加熱管4、5の外表面を取囲むため、加熱時、外部通電により発熱した電気抵抗発熱体膜41、51は管内の水に対して加熱を行う。管内の水は全面的に包覆加熱されるため、受熱面積は大きく、加熱効率は高く、しかも節電効果が高い。
かつ、該上段位置温度感知スイッチ71、該下段位温度感知スイッチ72を設置するため、図５に示すように、水位線がL1からL2に下降した時には、該石英加熱管4、5の上段部は水が無いため加熱ができない。しかし、もし該石英加熱管4、5が通電加熱を続けたなら、石英管が過熱、損壊するため、該上段位温度感知スイッチ71が該段位置の石英管の温度過熱を感知すると、直ちに電源を遮断する。
同様に、図６に示すように、水位線がL2からL3に下降した時には、該石英加熱管4、5の下段部は水が無いため加熱ができず、該下段位温度感知スイッチ72が該段位置の石英管の温度過熱を感知すると、直ちに電源を遮断するため、該石英加熱管4、5のあらゆる部位は保護され、過熱による損壊を防止可能である。
【０００９】
さらに本考案の加湿機の別種の実施例では、本考案が使用する石英加熱管は図１に示すように注水口両側に分けて設置する他、図７に示すように、多数本の石英加熱管81、82、83、84、85を環状に配列し、短時間内に迅速に蒸気を発生させる必要がある設備或いは場所に適用させることができる。
また図８に示すように、本考案の加湿機のさらに別種の実施例では、使用する石英加熱管は図１に示すように貯水容器内において設置する他、貯水容器の外部に設置することができる。すなわち該石英加熱管は手持ち式石英加熱管91、或いはフック部品92により該貯水容器2外部に掛けて使用するものである。
続いて本考案の加湿機のさらに別種の実施例では、図９に示すように、実施時に石英加熱管内において、突沸抑制器101、102を設置する。該突沸抑制器101、102は多孔性部品で、その材質はセラミック或いはその他材料とし、一端には導管103により空気ポンプ104を接続し、該空気ポンプ104を利用して空気を該突沸抑制器101、102内に導入し、液体中に多くの気泡を発生させ、液体が熱を受け突沸し噴出することを防止し、使用の安全性を向上させることができる。
【図面の簡単な説明】
【００１０】
【図１】本考案の立体外観図である。
【図２】本考案の組合せ断面図である。
【図３】本考案の加熱管路立体分解図である。
【図４】本考案の実施断面図である。
【図５】本考案の水位下降を説明する指示図である。
【図６】本考案の水位下降を説明する別種の指示図である。
【図７】本考案の第二実施例図である。
【図８】本考案の第三実施例図である。
【図９】本考案の第四実施例図である。
【符号の説明】
【００１１】
1  加湿機
2  貯水容器
3  加熱管路
4、5  石英加熱管
6  連通管
21  上隔板
22  下隔板
23  貯水区
24  底台空間
25  注水孔
26  給水口
41、51  電気抵抗発熱体膜
42、52  絶縁カバー管
43、44、53、54  密封カバー
45  断熱空間
61  第一電極
62  第二電極
63  第三電極
71  上段位温度感知スイッチ
72  下段位温度感知スイッチ
81、82、83、84、85  石英加熱管
91  手持ち式石英加熱管
92  フック部品
101、102  突沸抑制器
103  導管
104  空気ポンプ
【図１】
0003122980.tif 000003
【図２】
0003122980.tif 000004
【図３】
0003122980.tif 000005
【図４】
0003122980.tif 000006
【図５】
0003122980.tif 000007
【図６】
0003122980.tif 000008
【図７】
0003122980.tif 000009
【図８】
0003122980.tif 000010
【図９】
0003122980.tif 000011